(57)【要約】【課題】電気泳動方式の表示装置において、表示媒体を原因とする表示品質の低下を抑制する。【解決手段】表示の要素である表示媒体導電微粒子（２２）は導電性を有しており、電子加速層（１３）は、表示媒体導電微粒子（２２）に電荷を供給し、表面電極（１４）および対向電極（１６）は、帯電した表示媒体導電微粒子（２２）に電気的な力を印加することによって、表示媒体導電微粒子（２２）を駆動する。【選択図】図１
2017072767.tif 000002
【特許請求の範囲】
【請求項１】
電気泳動方式の表示装置であって、
表示の要素である表示媒体は、導電性を有する導電性表示媒体を含んでおり、
上記導電性表示媒体に供給するための電荷を放出する電子供給部と、
上記電子供給部が供給する電荷を帯電した上記導電性表示媒体に電気的な力を印加する電極部と、を備えたことを特徴とする表示装置。
【請求項２】
上記導電性表示媒体と対面する上記電極部の表面は、絶縁膜で覆われている
ことを特徴とする請求項１に記載の表示装置。
【請求項３】
上記表示媒体は、絶縁性を有する絶縁性表示媒体をさらに含む
ことを特徴とする請求項１または２に記載の表示装置。
【請求項４】
上記絶縁性表示媒体は、当該表示装置において位置を固定されている
ことを特徴とする請求項３に記載の表示装置。
【発明の詳細な説明】
【技術分野】
【０００１】
本発明は、表示装置に関し、特に、電気泳動方式の表示装置に関する。
【背景技術】
【０００２】
従来、表示の要素である表示媒体を電気的な力で駆動する電気泳動方式の表示装置が開発されている。例えば、電子ペーパーは、電気泳動方式の表示装置に含まれる。また、電気泳動方式の表示装置の一例が、特許文献１に記載されている。
【０００３】
図９は、従来の電気泳動方式の表示装置９００の一例を示す概略図である。図９に示すように、表示装置９００は、基板９１１と、下部電極９１２と、下部電荷輸送層９１５と、上部電極９１６と、上部電荷輸送層９１７と、電源９１８とを備えている。表示装置９００において、２つの電極９１２、９１６間には、黒色の表示媒体粒子９２０Ａおよび白色の表示媒体粒子９２０Ｂが封入される。表示媒体粒子９２０Ａおよび表示媒体粒子９２０Ｂは、正負どちらかの電荷を付加される。例えば、表示媒体粒子９２０Ａは正の電荷を付加され、表示媒体粒子９２０Ｂは負の電荷を付加される。
【０００４】
電源９１８によって、下部電極９１２と上部電極９１６との間に電圧が印加される。具体的には、下部電極９１２に負の電圧が印加され、上部電極９１６に正の電圧が印加された場合、正の電荷を帯電した表示媒体粒子９２０Ａは、上部電極９１６に接近する。一方、負の電荷を帯電した表示媒体粒子９２０Ｂは、下部電極９１２に接近する。この場合、上部電極９１６側から表示装置９００を見ると、黒色の表示媒体粒子９２０Ａが白色の表示媒体粒子９２０Ｂの上に位置するので、表示装置９００は黒色を表示する。
【０００５】
また、電源９１８が下部電極９１２および上部電極９１６に印加する電圧の向きが反転した場合、表示媒体粒子９２０Ａは、下部電極９１２の近傍へ移動する。一方、表示媒体粒子９２０Ｂは、上部電極９１６の近傍へ移動する。この場合、上部電極９１６側から表示装置９００を見ると、白色の表示媒体粒子９２０Ｂが黒色の表示媒体粒子９２０Ａの上に位置するので、表示装置９００は白色を表示する。
【先行技術文献】
【特許文献】
【０００６】
【特許文献１】特開２００６−３１３３３３号公報（２００６年１１月１６日公開）
【発明の概要】
【発明が解決しようとする課題】
【０００７】
従来の表示装置９００に封入される表示媒体粒子９２０Ａ、９２０Ｂは、誘電体で形成されており、摩擦帯電の方法で、電荷を付加される（特許文献１参照）。しかしながら、摩擦帯電の方法では、表示媒体粒子９２０Ａ、９２０Ｂに対して、非常に高い電圧が印加される必要がある。また、誘電体で形成されている表示媒体粒子９２０Ａ、９２０Ｂは、電極９１２、９１６間の電場によって分極する。そのため、分極した表示媒体粒子９２０Ａ、９２０Ｂが、電極９１２、９１６に貼り付いたまま動かなくなる可能性がある。その結果、表示装置９００の表示品質が低下する。
【０００８】
本発明は、前記の問題点に鑑みてなされたものであり、その目的は、電気泳動方式の表示装置において、表示媒体を原因とする表示品質の低下を抑制することにある。
【課題を解決するための手段】
【０００９】
上記の課題を解決するために、本発明の一態様に係る表示装置は、電気泳動方式の表示装置であって、表示の要素である表示媒体は、導電性を有する導電性表示媒体を含んでおり、上記導電性表示媒体に供給するための電荷を放出する電子供給部と、上記電子供給部が供給する電荷を帯電した上記導電性表示媒体に電気的な力を印加する電極部と、を備えている。
【発明の効果】
【００１０】
本発明の一態様によれば、電気泳動方式の表示装置において、表示媒体を原因とする表示品質の低下を抑制することができる。
【図面の簡単な説明】
【００１１】
【図１】実施形態１に係る表示装置の構成を示す概略図である。
【図２】（ａ）（ｂ）は、実施形態１に係る表示装置の動作を説明する図であり、（ａ）は、黒表示であるときの表示装置を示し、（ｂ）は、白表示であるときの表示装置を示す。
【図３】実施形態２に係る表示装置の構成を示す概略図である。
【図４】実施形態５に係る表示装置の構成を示す概略図である。
【図５】実施形態６に係る表示装置の構成を示す概略図である。
【図６】実施形態７に係る表示装置の構成を示す概略図である。
【図７】（ａ）（ｂ）は、実施形態７に係る表示装置の動作を説明する図であり、（ａ）は、黒表示であるときの表示装置を示し、（ｂ）は、白表示であるときの表示装置を示す。
【図８】実施形態８に係る表示装置の構成を示す概略図である。
【図９】従来の表示装置の構成を示す概略図である。
【発明を実施するための形態】
【００１２】
〔実施形態１〕
以下、本発明の実施の形態について、図１および図２を用いて詳細に説明する。
【００１３】
（表示装置１の構成）
図１を用いて、本実施形態に係る表示装置１の構成を説明する。図１は、表示装置１の構成を示す概略図である。図１に示すように、表示装置１は、基板１１、下部電極１２、電子加速層１３（電子供給部）、表面電極１４（電極部）、絶縁層１５、対向電極１６（電極部）、絶縁層１７、電源部１８Ａ、電源部１８Ｂ、表示媒体絶縁粒子２１（絶縁性表示媒体）、および表示媒体導電微粒子２２（導電性表示媒体）を備えている。表示装置１は複数のセルで構成されており、各セルは、上記の構成要素をそれぞれ含んでいる。
【００１４】
基板１１は、例えば、絶縁性基板であってもよい。あるいは、基板１１は、例えば、ポリエチレンテレフタレート、ポリエチレンナフタレート、ポリエーテルサルフォン、ポリエチレン、ポリカーボネート、ポリイミド、アクリル等のポリマーシートのように可撓性を有するフレキシブル基板であってもよく、ガラス基板、石英基板等の可撓性を有さない無機シート等の無機基板であってもよい。
【００１５】
下部電極１２に用いられる電極材料としては、良好な導電性を有する材料が好ましく、一例として、ステンレス、アルミニウム、チタン、銅等の金属；シリコン、ゲルマニウム、ガリウム砒素等の半導体；等が挙げられる。なお、下部電極１２の厚みは、特に限定されない。また、下部電極１２は、透明であってもよいし、不透明であってもよい。
【００１６】
電子加速層１３は、絶縁性微粒子１３ａおよび導電性微粒子１３ｂで構成されている。電子加速層１３は、下部電極１２の上に設けられている。表面電極１４は、電子加速層１３の上に設けられている。電源部１８Ａは、下部電極１２と表面電極１４との間に電圧を印加する。表面電極１４の上には、複数の小孔１５ａを有する絶縁層１５が設けられている。
【００１７】
電源部１８Ａを用いて、下部電極１２と表面電極１４との間に電圧が印加されることによって、電子加速層１３内に含まれる電子（ｅ−）が駆動される。これにより、絶縁層１５の小孔１５ａから、電子加速層１３内の電子が放出される。電子加速層１３から放出された電子が表示媒体導電微粒子２２に付着することによって、表示媒体導電微粒子２２は負の電荷を帯電する。
【００１８】
表示装置１は、電源部１８Ｂを用いて、表面電極１４と対向電極１６との間に電圧を印加することによって、帯電した表示媒体導電微粒子２２を、表面電極１４と対向電極１６との間で移動させる。表示装置１は、表面電極１４と対向電極１６との間の電場の向きを制御することにより、白表示と黒表示との間で切り替えられる。すなわち、表示装置１は、電気泳動方式の表示装置である。後で、図２の（ａ）（ｂ）を用いて、表示装置１において、白表示と黒表示とがどのように切り替えられるのかを詳細に説明する。
【００１９】
表示装置１の表示媒体（表示の要素）には、表示媒体絶縁粒子２１および表示媒体導電微粒子２２が含まれる。
【００２０】
表示媒体導電微粒子２２は、例えば、脂肪族炭化水素樹脂等のバインダー樹脂中に、フェライトや酸化鉄等を混合したものなどを材料として用いて形成されてよい。また、表示媒体導電微粒子２２の着色顔料としては、黄色にはポリアゾ顔料ベンズイミダゾロン系顔料、青色にはフタロシアニン顔料、赤色にはブリリアントカーミンやキナクリドン系顔料などが使用されてよい。表示媒体導電微粒子２２は、導電性を有する材料で形成されているので、誘電体粒子９２０（図９参照）のように分極することがない。そのため、表示媒体導電微粒子２２は、表面電極１４または対向電極１６に貼り付くことがない。また、表示媒体導電微粒子２２は、摩擦帯電の方法で電荷を付加されないので、摩耗しない。したがって、摩擦帯電の方法で電荷を付加される誘電体粒子９２０のように、帯電特性（例えば、帯電し易さ、表面上における電荷の分布など）が変化することはない。したがって、表示装置１は、表示媒体導電微粒子２２を、長期的に安定して駆動することができる。
【００２１】
表示媒体絶縁粒子２１は、例えば、アクリル系またはメタクリル系の樹脂を材料として用いて形成されてよい。また、表示媒体絶縁粒子２１は、例えば、亜鉛華、酸化チタン、アンチモン白、または硫化亜鉛によって着色されてよい。表示媒体絶縁粒子２１は、表示媒体導電微粒子２２に対して十分に大きい。また、表示装置１内において、表面電極１４と対向電極１６との間に印加される電圧の向きによらず、表示媒体絶縁粒子２１の位置は大きく変化することはない。そのため、表示媒体導電微粒子２２は、表示媒体絶縁粒子２１と、絶縁層１７および対向電極１６との間に入り込むことができる（図１および図２の（ａ）参照）。このとき、（対向電極１６側から見た場合）表示装置１は、表示媒体導電微粒子２２の黒色を表示する。また、表示媒体導電微粒子２２は、表示媒体絶縁粒子２１と、絶縁層１５および表面電極１４との間に入り込むことができる（図２の（ｂ）参照）。このとき、（対向電極１６側から見た場合）表示装置１は、表示媒体絶縁粒子２１の白色を表示する。
【００２２】
（表示装置１の動作）
図２の（ａ）（ｂ）を用いて、表示装置１の各セルの動作を説明する。図２の（ａ）は、黒表示であるときの表示装置１を示している。また、図２の（ｂ）は、白表示であるときの表示装置１を示している。
【００２３】
図２の（ａ）では、対向電極１６が正極であり、表面電極１４が負極である。そのため、負の電荷を帯電した表示媒体導電微粒子２２は、正極である対向電極１６に近接する。したがって、対向電極１６側から見たとき、表示媒体導電微粒子２２が対向電極１６を覆うので、表示装置１は表示媒体導電微粒子２２の黒色を表示する。一方、図２の（ｂ）では、対向電極１６が負極であり、表面電極１４が正極である。負の電荷を帯電した表示媒体導電微粒子２２は、正極である表面電極１４に近接する。そのため、対向電極１６側から見たとき、表示媒体導電微粒子２２が表示媒体絶縁粒子２１の下に位置する。したがって、表示装置１は、表示媒体絶縁粒子２１の白色を表示する。
【００２４】
〔実施形態２〕
本発明の他の実施形態について、図３に基づいて説明すれば、以下のとおりである。なお、説明の便宜上、前記実施形態にて説明した部材と同じ機能を有する部材については、同じ符号を付記し、その説明を省略する。
【００２５】
（表示装置２の構成）
図３は、本実施形態に係る表示装置２の構成を示す概略図である。図２に示すように、表示装置２は、電子加速層１３の代わりに、電子加速層２１３（電子供給部）を備えている。表示装置２のその他の構成は、表示装置１と同様である。
【００２６】
電子加速層２１３は、導電粒子を含んだ一様な樹脂（例えば、シリコーン樹脂）で構成されている。電子加速層２１３は、絶縁性微粒子１３ａおよび導電性微粒子１３ｂで構成された電子加速層１３と比較して、耐熱性に優れており、かつ、電子加速層２１３の面内の均一性が高いという利点を有する。
【００２７】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【００２８】
前記実施形態１、２では、白黒表示する表示装置１、２の構成を説明した。本実施形態では、フルカラー表示する表示装置１、２の構成を説明する。
【００２９】
前記実施形態１、２の表示装置１、２は、白色の表示媒体絶縁粒子２１と、黒色の表示媒体導電微粒子２２とを含んでいた。一方、本実施形態の表示装置１、２は、黒色の表示媒体導電微粒子２２の代わりに、Ｒ（赤）、Ｇ（緑）、またはＢ（青）の色の表示媒体導電微粒子２２を含む。本実施形態の表示装置１、２の各セルは、表示媒体絶縁粒子２１の白色、または、セルに含まれる表示媒体導電微粒子２２の色（すなわち、Ｒ、Ｇ、またはＢ）を表示することができる。ここで、表示装置１、２、において、互いに隣接するセルが表示するＲ、Ｇ、およびＢの色は混色する。したがって、本実施形態の表示装置１、２は、各セルが表示する色を制御することによって、フルカラー表示することができる。
【００３０】
〔実施形態４〕
本発明の他の実施形態について説明すれば、以下のとおりである。なお、説明の便宜上、前記実施形態にて説明した部材と同じ機能を有する部材については、同じ符号を付記し、その説明を省略する。
【００３１】
前記実施形態４でも、前記実施形態３と同様に、フルカラー表示する表示装置１、２の構成を説明する。しかし、本実施形態の表示装置１、２は、白色の表示媒体絶縁粒子２１の代わりに、Ｒ、Ｇ、またはＢの色で着色された表示媒体絶縁粒子２１を含む。また、本実施形態の表示装置１、２は、実施形態１、２の表示装置１、２と同様、黒色の表示媒体導電微粒子２２を含む。
【００３２】
本実施形態の表示装置１、２の各セルは、セルに含まれる絶縁粒子の色（すなわち、Ｒ、Ｇ、またはＢ）、または、表示媒体導電微粒子２２の黒色を表示することができる。そのため、本実施形態の表示装置１、２は、各セルが表示する色を制御することによって、フルカラー表示することができる。
【００３３】
〔実施形態５〕
本発明の他の実施形態について、図４を用いて説明すれば、以下のとおりである。なお、説明の便宜上、前記実施形態にて説明した部材と同じ機能を有する部材については、同じ符号を付記し、その説明を省略する。
【００３４】
前記実施形態１〜４では、表示媒体絶縁粒子２１は自由に移動することができた。一方、本実施形態では、表示媒体絶縁粒子２１の代わりの固定表示媒体樹脂５２１が、絶縁層１５に固定される構成を説明する。
【００３５】
（表示装置５の構成）
図４を用いて、本実施形態に係る表示装置５の構成を説明する。図４は、表示装置５の構成を示す概略図である。図４に示すように、表示装置５は、表示媒体絶縁粒子２１の代わりに、固定表示媒体樹脂５２１（絶縁性表示媒体）を備えている。表示装置５のその他の構成は、前記実施形態１に係る表示装置１の構成と同じである。固定表示媒体樹脂５２１は、絶縁性を有する白色の樹脂である。図４に示すように、固定表示媒体樹脂５２１は、絶縁層１５に固定されているので、表示装置５のセル内で移動することがない。したがって、表示装置５は、表示面内における均一性に優れている。
【００３６】
〔実施形態６〕
本発明の他の実施形態について、図５を用いて説明すれば、以下のとおりである。なお、説明の便宜上、前記実施形態にて説明した部材と同じ機能を有する部材については、同じ符号を付記し、その説明を省略する。
【００３７】
本実施形態では、前記実施形態１〜５で説明した表示媒体絶縁粒子２１、５２１（図１および図４参照）の代わりに、表示媒体樹脂層６２１（絶縁性表示媒体）を備えた表示装置６の構成を説明する。
【００３８】
（表示装置７の構成）
図５を用いて、本実施形態に係る表示装置６の構成を説明する。図５は、表示装置６の構成を示す概略図である。図５に示すように、表示装置６は、表示媒体絶縁粒子２１、５２１の代わりに、白色の表示媒体樹脂層６２１を備えている。また、表示装置６において、下部電極６１２、電子加速層７１３、表面電極６１４、および絶縁層６１５の配置は、前記実施形態１の表示装置１の対応する構成要素の配置とは異なっている。電子加速層７１３は、絶縁性微粒子７１３ａ、および導電性微粒子７１３ｂで構成されている。表示装置６の各構成要素の配置は、表示装置６が黒表示および白表示を実現可能なように決定されている。具体的には、対向電極６１６側から表示装置７を見たとき、表示媒体樹脂層６２１が対向電極６１６の真下に位置しており、かつ、電子加速層６１３（電子供給部）および表面電極６１４が対向電極６１６の横に位置している。
【００３９】
〔実施形態７〕
本発明の他の実施形態について、図６および図７の（ａ）（ｂ）を用いて説明すれば、以下のとおりである。なお、説明の便宜上、前記実施形態にて説明した部材と同じ機能を有する部材については、同じ符号を付記し、その説明を省略する。
【００４０】
（表示装置７の構成）
図６を用いて、本実施形態に係る表示装置７の構成を説明する。図６は、表示装置７の構成を示す概略図である。図６に示すように、表示装置７は、前記実施形態６に係る表示装置６の電子加速層７１３の代わりに、電子加速層６１３を備えている。電子加速層６１３は、導電粒子を含んだ一様な樹脂（例えば、シリコーン樹脂）で構成されている。電子加速層６１３は、絶縁性微粒子１３ａおよび導電性微粒子１３ｂで構成された電子加速層７１３と比較して、耐熱性に優れており、かつ、電子加速層６１３の面内の均一性が高いという利点を有する。表示装置７のその他の構成は、前記実施形態６に係る表示装置６と同様である。なお、表示装置７の動作の詳細を以下で説明する。
【００４１】
（表示装置７の動作）
図７の（ａ）（ｂ）を用いて、表示装置７の各セルの動作を説明する。図７の（ａ）は、対向電極６１６が正極であり、表面電極６１４が負極であるときの表示装置７を示している。また、図７の（ｂ）は、対向電極６１６が負極であり、表面電極６１４が正極であるときの表示装置７を示している。
【００４２】
図７の（ａ）では、負の電荷を帯電した表示媒体導電微粒子２２は、正極である対向電極６１６に近接する。そのため、対向電極６１６側から見たとき、表示媒体導電微粒子２２が表示媒体樹脂層６２１の上に位置する。したがって、表示装置７は表示媒体導電微粒子２２の黒色を表示する。一方、図７の（ｂ）では、負の電荷を帯電した表示媒体導電微粒子２２は、正極である表面電極６１４に近接する。そのため、対向電極６１６側から見たとき、表示媒体導電微粒子２２は、表示媒体樹脂層６２１の横に位置するので、視界に入らない。したがって、表示装置７は、表示媒体樹脂層６２１の白色を表示する。
【００４３】
〔実施形態８〕
本発明の他の実施形態について、図８を用いて説明すれば、以下のとおりである。なお、説明の便宜上、前記実施形態にて説明した部材と同じ機能を有する部材については、同じ符号を付記し、その説明を省略する。
【００４４】
前記実施形態６に係る表示装置６では、対向電極６１６の中央部から表面電極６１４までの距離は、対向電極６１６の端部から表面電極６１４までの距離よりも長い。そのため、対向電極６１６の中央部における電場は、対向電極６１６の端部における電場よりも弱い。したがって、対向電極６１６の中央部の近傍に集積する表示媒体導電微粒子２２の数は、対向電極６１６の端部の近傍に集積する表示媒体導電微粒子２２の数よりも少なくなる。その結果、表示装置６は、表示面内において、均一な表示をすることができない可能性がある。そこで、本実施形態では、均一な表示をすることができる表示装置８の構成を説明する。
【００４５】
（表示装置８の構成）
図８は、本実施形態に係る表示装置８の構成を示す概略図である。図８に示すように、表示装置８は、対向電極６１６の代わりに、対向電極１０１６を備えている。対向電極１０１６は、中央部において屈曲しており、該中央部は、表示装置８の内側に向かって突出している。そのため、対向電極６１６の中央部から表面電極６１４までの距離と比較して、対向電極１０１６の中央部から表面電極６１４までの距離が短くなる。したがって、対向電極１０１６の中央部における電場の強度が上昇するので、対向電極１０１６の中央部の近傍に集積する表示媒体導電微粒子２２の数が増大する。その結果、対向電極１０１６の中央部の近傍に集積する表示媒体導電微粒子２２の数は、対向電極１０１６の端部の近傍に集積する表示媒体導電微粒子２２の数に近付く。
【００４６】
表示装置８の構成によれば、表示面内において、均一な表示をすることができる。
【００４７】
〔まとめ〕
本発明の態様１に係る表示装置（１、２、５、６、７、８）は、電気泳動方式の表示装置であって、表示の要素である表示媒体（２１、２２）は、導電性を有する導電性表示媒体（表示媒体導電微粒子２２）を含んでおり、上記導電性表示媒体に供給するための電荷を放出する電子供給部（電子加速層１３、２１３、６１３）と、上記電子供給部が供給する電荷を帯電した上記導電性表示媒体に電気的な力を印加する電極部（表面電極１４、対向電極１６）と、を備えている。
【００４８】
上記の構成によれば、導電性を有する導電性表示媒体に電荷が供給される。そして、帯電した導電性表示媒体に電気的な力が印加される。導電性表示媒体は、印加される電気的な力の方向に応じて移動する。導電性表示媒体は、誘電体で形成される表示媒体のように分極することがないので、電極部に貼り付くことがない。また、導電性表示媒体は、摩擦帯電の方法で帯電されないので、摩耗により帯電特性が変化することもない。したがって、表示媒体を原因とする表示品質の低下を抑制することができる。
【００４９】
本発明の態様２に係る表示装置は、上記態様１において、上記導電性表示媒体と対面する上記電極部の表面は、絶縁膜（絶縁層１５、１７）で覆われていてもよい。
【００５０】
上記の構成によれば、電極部が導電性表示媒体に電気的な力を印加し、導電性表示媒体が電極部に近接した場合であっても、導電性表示媒体が電極部に直接的に接触することが防止される。
【００５１】
本発明の態様３に係る表示装置は、上記態様１または２において、上記表示媒体は、絶縁性を有する絶縁性表示媒体（表示媒体絶縁粒子２１、固定表示媒体樹脂５２１、表示媒体樹脂層６２１）をさらに含んでいてもよい。
【００５２】
上記の構成によれば、表示媒体には、導電性表示媒体および絶縁性表示媒体が含まれる。そのため、導電性表示媒体および絶縁性表示媒体を互いに異なる色（例えば、白色と黒色）で着色することによって、表示装置は複数の色を切り替えて表示することができる。
【００５３】
本発明の態様４に係る表示装置は、上記態様３において、上記絶縁性表示媒体は、当該表示装置において位置を固定されていてもよい。
【００５４】
上記の構成によれば、絶縁性表示媒体の位置が変化することがないので、表示装置は、均一な表示を安定的に提供することができる。
【００５５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００５６】
本発明は、表示装置に利用することができる。
【符号の説明】
【００５７】
１、２、５、６、７、８  表示装置
１３、２１３、６１３  電子加速層（電子供給部）
１４          表面電極（電極部）
１５          絶縁層（絶縁膜）
１６          対向電極（電極部）
１７          絶縁層（絶縁膜）
２１          表示媒体絶縁粒子（絶縁性表示媒体）
２２          表示媒体導電微粒子（導電性表示媒体）
５２１          固定表示媒体樹脂（絶縁性表示媒体）
６２１          表示媒体樹脂層（絶縁性表示媒体）
【図１】
2017072767.tif 000003
【図２】
2017072767.tif 000004
【図３】
2017072767.tif 000005
【図４】
2017072767.tif 000006
【図５】
2017072767.tif 000007
【図６】
2017072767.tif 000008
【図７】
2017072767.tif 000009
【図８】
2017072767.tif 000010
【図９】
2017072767.tif 000011